(57)【要約】【課題】既知のデータ・キャリアを整理分類するための全トランザクション時間が比較的長いという欠点を解消し、改良された方法を提供する。【解決手段】データ・キャリア（ＤＣ−Ａ，ＤＣ−Ｂ）を整理分類する方法であって、この方法は、キャリア信号（ＲＦ）の伝送の間に通信局（ＳＴＡＴＩＯＮ）にデータ（ＩＤ）を供給するために時間的な開始点（０，ｔ４）に関する複数の伝送開始時間から前記キャリア信号（ＲＦ）の伝送を開始する伝送開始時間を選択するステップと、前記時間的な開始点（０，ｔ４）の後で前記選択された伝送開始時間に先立って他のデータ・キャリア（ＤＣ−Ａ，ＤＣ−Ｂ）がキャリア信号を既に伝送しているかをテストするステップと、前記テストの結果が肯定的な場合に前記選択された伝送開始時間における前記キャリア信号（ＲＦ）の前記伝送の開始を阻止するステップと、を備える。【選択図】図１
2007026465.tif 000002
【特許請求の範囲】
【請求項１】
データ・キャリアを整理分類する方法であって、
キャリア信号の伝送の間に、前記データ・キャリアの整理分類を可能にするデータを通信局へ供給するために、時間的な開始点に関する複数の伝送開始時間から、前記キャリア信号の伝送を開始する伝送開始時間を選択するステップと、
前記時間的な開始点の後で前記選択された伝送開始時間の前に、他のデータ・キャリアがキャリア信号を既に伝送しているかどうかをテストするステップと、
前記テストの結果が肯定的な場合に、前記選択された伝送開始時間における前記キャリア信号の前記伝送の開始を阻止するステップと、
を備える方法。
【請求項２】
前記テストの前記結果が否定的な場合に前記選択された伝送開始時間に前記キャリア信号の伝送を開始するステップを備える請求項１に記載の方法。
【請求項３】
前記データの供給が行なわれる前に、時間的なデータ・フリー・プレデータ供給期間を、前記キャリア信号伝送の間、持続させるステップと、
前記データの供給が行なわれた後で前記キャリア信号の伝送の終了まで時間的なデータ・フリー・ポストデータ供給期間を、前記キャリア信号伝送の間、持続させるステップと、
を備える請求項２に記載の方法。
【請求項４】
前記伝送開始時間はランダムな原則によって選択される請求項１に記載の方法。
【請求項５】
前記伝送開始時間を選択することは、データ・キャリアの数よりも大きな数の伝送開始時間を選択可能にさせる請求項１に記載の方法。
【請求項６】
前記伝送開始時間を選択することは、時間の前記開始点が前記通信局のキャリア信号伝送の終了として定義され、前記通信局には、そのキャリア信号伝送の間の整理分類コマンドを表示するそのデータが供給されるようにして実行される請求項１に記載の方法。
【請求項７】
前記伝送開始時間を選択することは、前記通信局のキャリア信号伝送の前記終了についての選択可能な離散的遅延時間により、前記伝送開始時間を時間的にシフトさせることを含む請求項１に記載の方法。
【請求項８】
識別データとしてのそのデータが供給されている前記データ・キャリアを、前記通信局により、キャリア信号が伝送されていない初期状態に設定するステップを備える請求項２に記載の方法。
【発明の詳細な説明】
【技術分野】
【０００１】
本発明は、データ・キャリアを整理分類する［inventorying―棚卸しする・目録を作成する・インベントリする―］方法に関する。
【背景技術】
【０００２】
上記の第１のパラグラフで説明されている方法は、文献ＥＰ０９５７４４２Ｂから既知である。この既知の文献では、通信局によってデータ・キャリアを整理分類する方法を開示しており、この方法は多くの場合、衝突防止方法または衝突防止手順を意味する。多くの場合読み取り局を意味する通信局および既知のデータ・キャリアは、通信範囲（field）に存在しているすべてのデータ・キャリアに対して通信局が照会情報を送信するよう通信接続で結ばれる。通信範囲に存在するデータ・キャリアの十分なエネルギー供給および各データ・キャリアにおける照会情報の完璧な受信はそれぞれ、各々のデータ・キャリアが関連データ・キャリアの整理分類を可能にする応答信号を生成する前に達成すべき動作条件を構成している。照会情報は、読み取り局およびデータ・キャリア双方における一連のＮ連続時間ウィンドウの開始を初期化する。Ｎ時間ウィンドウの各々は、固定または可変にすることができる所定の時間ウィンドウ継続期間を備えている。いくつかの一連のＮ連続時間ウィンドウは通常、完全な衝突防止手順で生成される。
【０００３】
既知のデータ・キャリアは各々、Ｎ時間ウィンドウの１つを戻り伝送時間ウィンドウとしてランダムに規定する乱数発生器を備えている。データ・キャリアは、それぞれのデータ・キャリアによって選択された戻り伝送時間ウィンドウで応答情報または応答信号を送信し、その応答信号はデータ・キャリアのシリアル番号を含むため、データ・キャリアを明白に特徴付ける。読み取り局は、現在の時間ウィンドウから次の時間ウィンドウに切り替えが行われるように、各時間ウィンドウの最後に時間ウィンドウ切り替え情報を送信する。読み取り局は、次々にデータ・キャリアを識別し、その後、衝突防止方法の完了に続いて、毎回通信フィールド内のデータ・キャリアの１つと直接通信を構築して実施する。
【０００４】
既知の解決策は、常にすべての時間ウィンドウに作業しなければならないため、既知のデータ・キャリアを整理分類するための全トランザクション時間が比較的長いという欠点を伴っている。
【発明の開示】
【発明が解決しようとする課題】
【０００５】
本発明の目的は、上記の既知のデータ・キャリアを整理分類するための全トランザクション時間が比較的長いという欠点を解消し、改良された方法を提供することである。
【課題を解決するための手段】
【０００６】
上記の目標を達成するため、本発明による方法が以下のように特徴付けられるように、本発明による方法における発明の特徴が提供される。
【０００７】
データ・キャリアを整理分類する方法は、キャリア信号の伝送の間に、前記データ・キャリアの整理分類を可能にするデータを通信局へ供給するために、時間的な開始点に関する複数の伝送開始時間から、前記キャリア信号の伝送を開始する伝送開始時間を選択するステップと、前記時間的な開始点の後で前記選択された伝送開始時間の前に他のデータ・キャリアがキャリア信号を既に伝送しているかをテストするステップと、前記テストの結果が肯定的な場合に前記選択された伝送開始時間における前記キャリア信号の前記伝送の開始を阻止するステップと、を備える。
【０００８】
本発明の特徴を有利にしかも簡単な方法で提供することで、データ・キャリアの整理分類を極めて高速に行なうことができる。これは特に、通信局と通信接続で結ばれるデータ・キャリアが、通信局と通信接続で結ばれる他のデータ・キャリアに反応するという点において達成される。すなわち、前記データ・キャリアは、他のデータ・キャリアがその伝送開始時間にすでに応答信号を発している場合に、前のデータ・キャリアだけがその応答信号を発するように、他のデータ・キャリアの１つがすでに応答信号を発しているかどうかをテストする。
【０００９】
本発明のさらなる態様によれば、請求項２に記載の手段が提供される。たとえば通信局と通信接続で結ばれる少数のデータ・キャリアの場合、応答信号が比較的高い確率で最短可能時間内に取得できるということを有利に達成するが、これは多くの応用例において望ましく非常に有利である。
【００１０】
本発明のさらなる態様によれば、請求項３に記載の手段が提供され、過渡現象が考慮されるという利点をもたらす。
【００１１】
請求項４に記載の手段は、伝送開始時間が比較的簡単な方法で決められるという利点をもたらす。
【００１２】
請求項５に記載の手段は、データ・キャリアの同一の伝送開始時間によって生じる頻繁な衝突が回避されるという利点をもたらす。
【００１３】
請求項６に記載の手段は、待機時間の開始点が正確に定義されるという利点をもたらす。
【００１４】
この発明の他の態様によれば、請求項７に記載の手段が提供され、これは待機時間が正確に定義されるという利点をもたらす。
【００１５】
さらに、請求項８に記載の手段は、すでに整理分類されたデータ・キャリアが、さらなるデータ・キャリアの整理分類中に整理分類プロセスにおいてそれ以降は加わらないことを有利に達成し、これは整理分類を可能な限り迅速に行う上で非常に有利である。
【００１６】
本発明の上記および他の多くの態様は、以下の実施形態の説明により明らかとなり、本実施形態を参照して明確になるであろう。
【００１７】
本発明は、図に示された実施形態を参照して以下で詳細に説明されるが、これにより本発明が限定されることはない。
【発明を実施するための最良の形態】
【００１８】
以下に、装置を整理分類するための方法が、図１に示された時間チャートを参照して説明される。図示された大筋において、いわゆる通信局ＳＴＡＴＩＯＮおよび２つのデータ・キャリアＤＣ−ＡおよびＤＣ−Ｂが含まれる。しかしながら、含まれているデータ・キャリアの数は、制限する手段ではない。整理分類するために、データ・キャリアＤＣ−ＡおよびＤＣ−Ｂのそれぞれにとって顕著で特有の識別データＩＤが格納されたメモリ配置を有する記憶手段をデータ・キャリアＤＣ−ＡおよびＤＣ−Ｂは備える。
【００１９】
図１は、横軸に関連づけられる時間軸ｔと、立軸に関連づけられてファイルされたキャリア信号ＲＦまたは高周波の状態に関する、装置ＳＴＳＴＩＯＮ、ＤＣ−ＡおよびＤＣ−Ｂのそれぞれを示している。図１に示されるように、例えば、通信局ＳＴＡＴＩＯＮに関しｔ１とｔ４の間、または、データ・キャリアＤＣ−Ａに関しｔ５とｔ９の間で、スイッチを入れられるものとする。この状態はさらに、例えば、通信局ＳＴＳＴＩＯＮの場合、時間軸ｔの最初とｔ１の間、または、ｔ４の後；データ・キャリアＤＣ−Ａの場合、時間軸ｔの最初とｔ５の間、または、ｔ９の後；データ・キャリアＤＣ−Ｂの場合、示されるすべての時間軸ｔに沿って、スイッチを切られるものとする。
【００２０】
データ・キャリアＤＣ−ＡおよびＤＣ−Ｂは、図１に示すように時間スロットｔ１ないしｔ４および時間スロットｔ５ないしｔ９の間で、キャリア信号ＲＦを活発に生成して送出する。このようなデータ・キャリアＤＣ−ＡおよびＤＣ−Ｂは、外部供給源からデータ・キャリアＤＣ−ＡおよびＤＣ−Ｂに供給された信号から独立した内部発振器を備える。このような内部発振器は、通信局ＳＴＡＴＩＯＮとデータ・キャリアＤＣ−ＡまたはＤＣ−Ｂ間の通信が非常に高い動作周波数、例えば、いわゆるＵＨＦレンジまたはマイクロ波レンジの動作周波数で、行なわれる。
【００２１】
通信局ＳＴＡＴＩＯＮにより複数のデータ・キャリアＤＣ−ＡおよびＤＣ−Ｂをいわゆる整理分類することを実行することが必要であり、これは、無接点方式でデータ・キャリアＤＣ−ＡおよびＤＣ−Ｂと通信する。このような整理分類プロセスの間に、それぞれのデータ・キャリアＤＣ−ＡまたはＤＣ−Ｂについて意味のある識別データＩＤが、それぞれのデータ・キャリアＤＣ−ＡまたはＤＣ−Ｂにより、通信局ＳＴＡＴＩＯＮに対して伝送され、例えば、データ・キャリアＤＣ−ＡおよびＤＣ−Ｂごとに通信局ＳＴＡＴＩＯＮに格納されるので、通信局ＳＴＡＴＩＯＮに通信接続されたすべてのデータ・キャリアＤＣ−ＡおよびＤＣ−Ｂの識別データＩＤは通信局ＳＴＡＴＩＯＮ内で既知となり、これは、通信局ＳＴＡＴＩＯＮにとって、データ・キャリアＤＣ−ＡまたはＤＣ−Ｂの識別データＩＤ特性の使用を介して、例えば、関連するデータ・キャリアＤＣ−ＡまたはＤＣ−Ｂから有用なデータを読み出すため、または、関連するデータ・キャリアＤＣ−ＡまたはＤＣ−Ｂから有用なデータを格納するために、目的志向および非互換的なやり方で、それぞれのデータ・キャリアＤＣ−ＡまたはＤＣ−Ｂに接続することを可能にさせる。識別データＩＤが通信局ＳＴＡＴＩＯＮに通信接続されることのできるすべてのデータ・キャリアＤＣ−ＡおよびＤＣ−Ｂについて決定されるものではなく、最初に応答するデータ・キャリアＤＣ−ＡまたはＤＣ−Ｂの識別データＩＤで足りることは、留意されるべきである。
【００２２】
図１は、通信局ＳＴＡＴＩＯＮおよびデータ・キャリアＤＣ−Ａの両方の通信信号のタイムシーケンス（時間系列）を示している。
【００２３】
２つのデータ・キャリアＤＣ−ＡおよびＤＣ−Ｂの合計、および１つの通信局ＳＴＡＴＩＯＮは、データ・キャリアＤＣ−ＡおよびＤＣ−Ｂを整理分類する方法の開始時点において共通通信領域に存在すると仮定する。データ・キャリアＤＣ−ＡおよびＤＣ−Ｂを整理分類する方法のこの開始時点において、通信局ＳＴＡＴＩＯＮは、定義されている伝送プロトコルに従ってインベントリ・コマンドＩＮＶＣＯを生成して、それをすべてのデータ・キャリアＤＣ−ＡおよびＤＣ−Ｂに伝送する。これは高周波フィールドまたはキャリア信号ＲＦを伝送することによって時間ｔ１において開始し、時間ｔ２から時間ｔ３までインベントリ・コマンドＩＮＶＣＯが送信される。高周波フィールドは、時間ｔ４まで保持される。時間ｔ２から時間ｔ３までの期間中、インベントリ・コマンドＩＮＶＣＯは、データ・キャリアＤＣ−ＡおよびＤＣ−Ｂで受け取られる。
【００２４】
時間ｔ４において、つまりデータ・キャリアＤＣ−ＡおよびＤＣ−Ｂのインベントリ・コマンドＩＮＶＣＯの認識後に、伝送開始時間は各々について決定される。データ・キャリアＤＣ−Ａの時間チャートから明らかなように、伝送開始時間ｔ５は、データ・キャリアＤＣ−Ｂによって選択された。この場合の伝送開始時間は、時間ｔ４から始めて、選択可能な離散的遅延期間ＴＤと待機時間数Ｔｗの合計から導かれ、これは、データ・キャリアＤＣ−Ａ用の伝送開始時間ｔ５と、データ・キャリアＤＣ−Ｂ用の伝送開始時間ｔ６を選択するための時間尺度（タイムスケール）の原点を形成する。待機時間数Ｔｗは、ランダムな原則によって決定される。この場合、最大３つの待機時間数Ｔｗまで選択することができ、２つの待機時間Ｔｗがデータ・キャリアＤＣ−Ａに選択されている。待機時間数Ｔｗは、応用例に応じて大きく変わる場合があり、その結果、頻繁な衝突を回避するために、選択可能な待機時間Ｔｗの最大数は、通信局ＳＴＡＴＩＯＮと共通の交信距離に存在するデータ・キャリアの最大数の２倍であることが有利であることに留意されたい。
【００２５】
データ・キャリアＤＣ−Ｂの時間図から明らかなように、伝送開始時間ｔ６が選択され、この伝送開始時間ｔ６は、時間ｔ５より後の１つの待機時間Ｔｗである。
【００２６】
伝送開始時間が決定された後、共通交信距離に存在するさらなるデータ・キャリア、この場合はデータ・キャリアＤＣ−Ｂが応答信号を送信しているかどうかは、時間ｔ５においてデータ・キャリアＤＣ−Ａによって決定または検出される。応答信号が決定または検出されない場合には、データ・キャリアＤＣ−Ａの時間軸に沿って図１に示すように、応答信号が生成されて送信される。このため、識別データＩＤは、格納手段のメモリ配置から読み出される。識別信号ＩＤＳは、識別データＩＤおよび防護データのような付加データから生成される。ここで既に、データ・キャリアＤＣ−Ａに関して、応答信号が生成されてもよいことによって、識別信号ＩＤＳを生成するための識別信号生成手段が応答信号生成手段を同時に形成し、この場合、応答信号はまた、識別データＩＤから生成されると共に識別信号ＩＤＳにより形成され、これは、応答信号が識別信号ＩＤＳとは異なっていても良いので、必ずしも事実である必要はない。識別信号生成手段によって生成された識別信号ＩＤＳは、整理分類のために、データ・キャリアＤＣ−ＡまたはＤＣ−Ｂから通信局ＳＴＡＴＩＯＮへと伝送されなければならない。
【００２７】
図１の対応する時間図において、識別信号ＩＳＤ−Ａの搬送は、時間ｔ７および時間ｔ８の間に行なわれ、過渡現象は時間ｔ７の前および時間ｔ８の後から時間ｔ９までが考慮される。これらの過渡現象は、システムごとに大きく異なり、存在しない場合もある。
【００２８】
共通交信距離に存在するさらなるデータ・キャリア、すなわち、この場合はデータ・キャリアＤＣ−Ａ、が応答信号を送信しているかどうかは、時間ｔ６においてデータ・キャリアＤＣ−Ｂで決定または検出される。この場合、データ・キャリアＤＣ−Ａによって発せられた応答信号は、提供された応答信号と共に発生する生成されたキャリア信号ＲＦが認識されるという点で、認識または検出される。データ・キャリアＤＣ−Ｂは、この場合応答信号認識信号ＡＳＤＳを内部で生成しており、それは、データ・キャリアＤＣ−Ａは既に時間ｔ６においてその応答信号を発し、応答信号認識信号ＡＳＤＳは伝送のために供給されず、さらにキャリア信号ＲＦが送信されないことを達成するからである。
【００２９】
したがって、これは前述の方法において有利に達成され、データ・キャリア、すなわち、この場合はデータ・キャリアＤＣ−Ａ、が可能な限り短時間で通信局ＳＴＡＴＩＯＮによって整理分類または選択されている。たとえばこれは、通信局ＳＴＡＴＩＯＮが、少なくとも１つのデータ・キャリアが通信局の交信距離に入るとすぐにサービスを開始しなければならない場合に有利である。そのようなサービスは、たとえば、広告活動または何らかの類似した動作である。
【００３０】
必要に応じて、データ・キャリアＤＣ−Ｂは整理分類することができるようになり、その目的で通信局はもう１度インベントリ・コマンドＩＮＶＣＯを送信し、データ・キャリアＤＣ−Ｂは前述の方法により整理分類される。有利なことに、データ・キャリアＤＣ−Ａは、通信局がインベントリ・コマンドＩＮＶＣＯを提供する前に、通信局により初期状態としてのアイドル位置に設定され、そのアイドル位置においてデータ・キャリアＤＣ−Ａはインベントリ・コマンドＩＮＶＣＯにそれ以上反応することはない。
【００３１】
両方のデータ・キャリアＤＣーＡおよびＤＣ−Ｂで同じ伝送開始時間が決定され、それに応じて応答信号ＲＦが同時に伝送される場合、通信局ＳＴＡＴＩＯＮは、いくつかの応答信号ＲＦを認識するため、および、インベントリを解釈するために構成され、インベントリ・コマンドＩＮＶＣＯの新たな搬送または伝送によりインベントリをできる限り再始動させている。
【００３２】
通信局ＳＴＡＴＩＯＮがデータ・キャリアによって同時に形成され、この場合、そのようなデータ・キャリアは、他のデータ・キャリアと通信するための通信局ＳＴＡＴＩＯＮと同様の手段を備えていることに留意されたい。
【００３３】
さらに、本発明による方法が複数の通信局ＳＴＡＴＩＯＮの間で実施できることに留意されたい。
【図面の簡単な説明】
【００３４】
【図１】整理分類手順中に発生するコマンドおよび信号のタイム・シーケンスを示す時間図である。
【符号の説明】
【００３５】
０，ｔ４              時間的な開始点
ＤＣ−Ａ，ＤＣ−Ｂ    データ・キャリア
ＩＤ                  データ
ＩＮＶＣＯ            整理分類（インベントリ）コマンド
ＲＦ                  キャリア信号
ＳＴＡＴＩＯＮ        通信局
ＴＤ                   選択可能な離散的遅延時間
【図１】
2007026465.tif 000003